(57)【要約】【課題】静電型入力ペン１の軸部材２を傾斜させた状態で入力を行った場合においても、軸部材２の端部３ｅが入力装置７の操作領域７ａを傷つけることを防止できる構造とする。【解決手段】操作領域７ａの操作部分の位置を静電容量方式で検出する入力装置に用いる静電型入力ペンであって、導電性ゴムからなり外周に鍔部４ｄを形成した先端チップ４を軸部材２に装着し、先端チップ４の鍔部４ｄを軸部材２の前端部３ｅに隣設させた構造とする。【選択図】図４
2013206053.tif 000002
【特許請求の範囲】
【請求項１】
操作領域を入力ペンや指によって操作し、前記操作領域の操作部分の位置を静電容量方式で検出する入力装置に用いる静電型入力ペンであって、導電性ゴムからなり外周に鍔部を形成した先端チップを軸部材に装着し、前記先端チップの鍔部を前記軸部材の前端部に隣設させた構造の静電型入力ペン。
【発明の詳細な説明】
【技術分野】
【０００１】
本発明は、操作領域を入力ペンの先端チップで触れることにより、選択を行ったりカーソルの移動ができる静電容量方式の入力装置に用いられる静電型入力ペンに関したものである。
【背景技術】
【０００２】
従来、特許文献１に記載されるように、導電性ゴムで構成された先端チップを前部に設けた静電型入力ペンが知られている。また最近では、特許文献２に記載されているように手で持って使用する薄形のタッチパネル形式の入力装置が市場で人気を得ており、指先で入力を行うだけでなく、筆記具のように軸部材を握って入力を行うことができる静電型入力ペンの需要も高くなっている。
【先行技術文献】
【特許文献】
【０００３】
【特許文献１】特許第４１４２７７６号公報
【特許文献２】特開２０１１−８１８２５号公報
【発明の概要】
【発明が解決しようとする課題】
【０００４】
ところで、前記タッチパネル形式の入力装置の多くが、接触面積が１６平方ミリメートル以上で入力反応が示されるようになっていることから、静電型入力ペンは、導電性ゴムからなる先端チップを変形させて接触面積を大きくして入力を行う構造が広く採用されているが、筆記具を傾斜させて紙面に筆記を行う人は、静電型入力ペンの軸部材も、入力装置の操作領域に対して傾斜させて入力を行う傾向があり、先端チップを装着させた軸部材の前端部が操作領域に接触してしまうことがある。特に、軸部材を把持した手と操作領域との導電性をよくするためや、高級感を出すために軸部材に金属を用いた静電型入力ペンでは、軸部材の端部が入力装置の操作領域に接触して当該操作領域を傷つけてしまう虞があった。
【０００５】
そこで本発明は、前記従来の問題点を解決するために、静電型入力ペンの軸部材を傾斜させた状態で入力を行った場合においても、軸部材の前端部で入力装置の操作領域を傷つけてしまうことを防止できる構造の静電型入力ペンを提供することを目的とする。
【課題を解決するための手段】
【０００６】
本発明は、
「操作領域を入力ペンや指によって操作し、前記操作領域の操作部分の位置を静電容量方式で検出する入力装置に用いる静電型入力ペンであって、導電性ゴムからなり外周に鍔部を形成した先端チップを軸部材に装着し、前記先端チップの鍔部を前記軸部材の前端部に隣設させた構造の静電型入力ペン。」である。
【０００７】
本発明における先端チップの鍔部は、軸部材が入力装置の操作領域に対して傾斜した状態で先端チップを接触させた場合に、操作領域に対して先端チップは鍔部が当接するように形成することが肝要である。具体的には、鍔部の外径を軸部材の外径と同一あるいはそ大きく形成して、先端チップを操作領域に当接させた状態にして軸部材を傾斜させていったときに、軸部材の前端部が操作領域に当接するより前に、先端チップの鍔部が操作領域に接触する構造とすればよい。
【発明の効果】
【０００８】
本発明の静電型入力ペンによれば、静電型入力ペンの軸部材を傾斜させた状態で入力を行った場合においても、軸部材の前端部で入力装置の操作領域を傷つけてしまうことを防止できる構造の静電型入力ペンを得ることができた。
【図面の簡単な説明】
【０００９】
【図１】図１は、本実施例の静電型入力ペンの縦断面図である。
【図２】図２は、図１の要部拡大断面図である。
【図３】図３は、本実施例の静電型入力ペンの軸部材を入力装置の操作領域に対して垂直な状態で先端チップを当接させた図である。
【図４】図４は、本実施例の静電型入力ペンの軸部材を入力装置の操作領域に対して傾斜させた状態で先端チップを当接させた図である。
【発明を実施するための形態】
【００１０】
以下、図面を参照して本発明における静電型入力ペンの実施例について説明を行う。尚、説明を分かり易くするために、図面中の同様の部材、同様の部分については同じ番号を付してある。本実施例の説明においては先端チップ側を前方と表現し、その反対側を後方と表現する。
【００１１】
以下、図１及び図２を用いて本実施例の静電型入力ペンについて説明する。静電型入力ペン１は、軸部材本体２の前方へ装着した先軸部材３に、半球状のドーム部４ａを有した先端チップ４を、当該先端チップ４の後方に形成した円筒状のストレート部４ｂに中子５の前方小径部５ａを挿着させた上で、先軸部材３の開口部３ａに先端チップ４及び中子５を挿通させると共に、中子５の後方大径部５ｂに形成した凹部５ｃへ先軸部材３の後方薄肉部３ｂをカシメて形成したカシメ部３ｃにて固定し、先端チップ４の後部内側に形成した膨出部４ｃを中子５の前方外側に形成した膨出部５ｄに引っ掛けて抜け止めとしてある。
【００１２】
また、先軸部材３に形成した雄螺子部３ｄを円筒形状の軸部材２の前方に形成した雌螺子部２ａに螺合させ、軸部材本体２の後方には樹脂製の尾栓６を挿着してある。本実施例では、先端チップ４を、シリコンゴムに炭素粉末を混練した導電性シリコンゴムで形成してあり、中子５と先軸部材３と軸部材本体２とが真鍮で形成してあることから、軸部材本体２を把持した手と先端チップ４の前方のドーム部４ａまで導通させることができる。尚、先端チップ４は、ＪＩＳ−Ｋ６２５３：２００６により求めたゴム硬度２０の導電性シリコンゴムで形成してあり、半球状のドーム部４ａの厚みを０．７５ｍｍで形成してある。また外周には先軸部材３の外径と等しい鍔部４ｄを形成してあり、先軸部材３の前端部３ｅに隣設させている。
【００１３】
次に、図３及び図４を用いて本実施例の静電型入力ペンで、操作領域を入力ペンや指によって操作し、操作領域の操作部分の位置を静電容量方式で検出する入力装置に操作を行った状態について説明を行う。図３に示すように、静電型入力ペン１の軸部材本体２が入力装置７の操作領域７ａに対して垂直な状態で先端チップ４を操作領域７ａに当接させると、先端チップ４が変形して接触面積が１６平方ミリメートル以上となり、入力装置７を反応させることができた。また図４に示すように、静電型入力ペン１の軸部材本体２が入力装置７の操作領域７ａに対して４５度で傾斜させた状態で先端チップ４を操作領域７ａに当接させると、先端チップ４が変形して接触面積が１６平方ミリメートル以上となり、入力装置７を反応させることができた。本実施例の静電型入力ペンでは、軸部材本体２を傾けて入力を行う場合、先端チップ４の鍔部４ｄが入力装置７の操作領域７ａに接触するので、真鍮製の先軸部材３の前端部３ｅで入力装置７の操作領域７ａが傷つくことを防止できた。
【産業上の利用可能性】
【００１４】
本発明は、軸部材に金属を採用する静電型入力ペンに適した構造である。
【符号の説明】
【００１５】
１…静電型入力ペン、
２…軸部材本体、２ａ…雌螺子部、
３…先軸部材、３ａ…開口部、３ｂ…後方薄肉部、３ｃ…カシメ部、
３ｄ…雄螺子部、３ｅ…前端部、
４…先端チップ、４ａ…ドーム部、４ｂ…ストレート部、４ｃ…膨出部、
４ｄ…鍔部、
５…中子、５ａ…前方小径部、５ｂ…後方大径部、５ｃ…凹部、
５ｄ…膨出部、
６…尾栓、
７…入力装置、７ａ…操作領域。
【図１】
2013206053.tif 000003
【図２】
2013206053.tif 000004
【図３】
2013206053.tif 000005
【図４】
2013206053.tif 000006